(57)【特許請求の範囲】
【請求項１】
同一フロアー（３１）で多種類商品を取扱うところのフロアーの一部分に高湿度発生品取扱場（３２）を設けた建築構造物（３０）において、
多数の天井材を張り詰めて構成した建築構造物の天井（１０）に黴が再び発生するのを防止する方法であって、
黴が多く発生している第一黴天井材（１２）を撤去する撤去工程（Ａ）と、
前記第一黴天井材に代えて新たな張替天井材（１１）を張り付ける張替工程（Ｂ）と、
少なくとも前記張替天井材の表面に水性の防黴塗料剤（Ｐ１）を塗布する第一塗布工程（Ｃ）と、
前記張替天井材またはその近傍に上向送風天井ファン（２０）を取付ける取付工程（Ｅ）と、を含む工程から成る建築構造物天井の防黴方法。
【請求項２】
同一フロアー（３１）で多種類商品を取扱うところのフロアーの一部分に高湿度発生品取扱場（３２）を設けた建築構造物（３０）において、
多数の天井材を張り詰めて構成した建築構造物の天井（１０）に黴が再び発生するのを防止する方法であって、
黴が多く発生している第一黴天井材（１２）を撤去する撤去工程（Ａ）と、
前記第一黴天井材に代えて新たな張替天井材（１１）を張り付ける張替工程（Ｂ）と、
少なくとも前記張替天井材の表面に水性の防黴塗料剤（Ｐ１）を塗布する第一塗布工程（Ｃ）と、
前記第一塗布工程に前後して，黴の発生が少ない第二黴天井材（１３）の表面にアルコール除菌剤（Ｐ３）または黴除去剤（Ｐ２）あるいはその両方を塗布する第二塗布工程（Ｄ）と、
前記張替天井材またはその近傍に上向送風天井ファン（２０）を取付ける取付工程（Ｅ）と、を含む工程から成る建築構造物天井の防黴方法。
【請求項３】
同一フロアー（３１）で多種類商品を取扱うところのフロアーの一部分に高湿度発生品取扱場（３２）を設けた建築構造物（３０）において、
多数の天井材を張り詰めて構成した建築構造物の天井（１０）に、黴が再び発生するのを防止した天井構造であって、
黴が多く発生している第一黴天井材（１２）に代えて設けられ，表面に，水性の防黴塗料剤（Ｐ１）が積層された張替天井材１１を有する天井（１０）と、
前記張替天井材またはその近傍に取付けられた上向送風天井ファン（２０）と、を備えることを特徴とする建築構造物天井の防黴天井設備。
【発明の詳細な説明】
【技術分野】
【０００１】
本発明は、スーパーマーケットやコンビニエンスストアなどの各種建築構造物における天井の防黴方法、および当該防黴方法が施工された防黴天井設備に関するものである。
【背景技術】
【０００２】
スーパーマーケットなどの食品を取り扱う建築構造物の天井には黴が発生し易い。こうした黴は、温度や湿度が比較的高い場所に発生し易く、従って、例えば、スーパーマーケットの飲料売り場や野菜売り場などにおいて特に顕著である。
【０００３】
通常、建築構造物の天井に発生した黴は黒黴などの黒ずんだ不快な色彩を持っているので、当該建築構造物の印象を著しく低下させてしまう。また、衛生的にも好ましくない。
【０００４】
なお、これまでに黴の発生を防止するための手段は創案されているが（例えば、特許文献１参照）、すでに黴が発生した天井を対象としたものは創案されていない。
【先行技術文献】
【特許文献】
【０００５】
【特許文献１】特開２００７−３３３２４０号公報
【発明の概要】
【発明が解決しようとする課題】
【０００６】
前述した建築構造物の天井に発生した黴は植物の一種であり、天井に根を張っているので容易に拭き取ることができず、従って、少なくとも黒ずんだ黴が発生している天井は部分的に張り替えることが好ましい。しかし、張り替えられた新たな天井にも、比較的短期間のうちに再び黴が発生してしまい、再度、天井を張り替える必要が生じてしまう。
【０００７】
本発明はこうした問題に鑑み創案されたもので、主としてスーパーマーケットなどの建築構造物の天井に発生した黴を処理すると共に、その天井に再び黴が発生するのを防止する防黴方法を提供することを課題とする。同時に、黴が再び発生するのを防止した防黴天井設備を提供することも課題とする。
【課題を解決するための手段】
【０００８】
図１乃至図３を参照して説明する。請求項１に記載の天井の防黴方法は、同一フロアー３１で多種類商品を取扱うところのフロアーの一部分に高湿度発生品取扱場３２を設けた建築構造物３０において、多数の天井材を張り詰めて構成した建築構造物の天井１０に、黴が再び発生するのを防止する方法であり、黴が多く発生している第一黴天井材１２を撤去する撤去工程Ａと、前記第一黴天井材１２に代えて新たな張替天井材１１を張り付ける張替工程Ｂと、少なくとも前記張替天井材１１の表面に水性の防黴塗料剤Ｐ１を塗布する第一塗布工程Ｃと、前記張替天井材１１またはその近傍に上向送風天井ファン２０を取付ける取付工程Ｅとを備える。
【０００９】
請求項２に記載の天井の防黴方法は、同一フロアー３１で多種類商品を取扱うところのフロアーの一部分に高湿度発生品取扱場３２を設けた建築構造物３０において、多数の天井材を張り詰めて構成した建築構造物の天井１０に、黴が再び発生するのを防止する方法であり、黴が多く発生している第一黴天井材１２を撤去する撤去工程Ａと、前記第一黴天井材１２に代えて新たな張替天井材１１を張り付ける張替工程Ｂと、少なくとも前記張替天井材１１に水性の表面に防黴塗料剤Ｐ１を塗布する第一塗布工程Ｃと、前記第一塗布工程Ｃに前後して、黴の発生が少ない第二黴天井材１３の表面にアルコール除菌剤Ｐ３または黴除去剤Ｐ２あるいはその両方を塗布する第二塗布工程Ｄと、前記張替天井材１１またはその近傍に上向送風天井ファン２０を取付ける取付工程Ｅとを備える。
【００１０】
請求項３に記載の防黴天井設備１は、同一フロアー３１で多種類商品を取扱うところのフロアーの一部分に高湿度発生品取扱場３２を設けた建築構造物３０において、多数の天井材を張り詰めて構成した建築構造物の天井１０に、黴が再び発生するのを防止したものであり、黴が多く発生している第一黴天井材１２に代えて設けられ、表面に、水性の防黴塗料剤Ｐ１が積層された張替天井材１１を有する天井１０と、前記張替天井材１１またはその近傍に取付けられた上向送風天井ファン２０とを備える。
【発明の効果】
【００１１】
請求項１に記載の天井の防黴方法は、撤去工程Ａ、張替工程Ｂ、第一塗布工程Ｃおよび取付工程Ｅによって行われるので、建築構造物の天井１０に黴が再び発生するのを防止することができる。
【００１２】
すなわち、撤去工程Ａによって黴が多く発生している第一黴天井材１２を撤去した後、張替工程Ｂによって新たな張替天井材１１を貼り付けるので、第一黴天井材１２に発生している黴を完全に取り去ることができる。
【００１３】
また、第一塗布工程Ｃによって張替天井材１１の表面に水性の防黴塗料剤Ｐ１を塗布するので、張替天井材１１に新たな黴が発生するのを確実に防止することができる。
【００１４】
さらに、取付工程Ｅによって張替天井材１１またはその近傍に上向送風天井ファン２０を取付けるので、当該上向送風天井ファン２０から供給される送風によって張替天井材１１を含む天井１０に新たな黴が発生するのをさらに確実に防止することができる。
【００１５】
請求項２に記載の天井の防黴方法は、請求項１に記載の発明と同様の効果を発揮する。また、請求項１に記載の発明に加えて、第一塗布工程Ｃに前後して、黴の発生が少ない第二黴天井材１３の表面にアルコール除菌剤Ｐ３または黴除去材あるいはその両方を塗布する第二塗布工程Ｄを加えたので、当該第二黴天井材１３に発生している黴を死滅させあるいは除去することができる。これにより、建築構造物の天井１０に黴が再発生するのを、より確実に防止することができる。
【００１６】
請求項３に記載の防黴天井設備１は、黴が多く発生している第一黴天井材１２に代えて設けられ、表面に、水性の防黴塗料剤Ｐ１が積層された張替天井材１１を有する天井１０と、張替天井材１１またはその近傍に取付けられた上向送風天井ファン２０とを備えるので、建築構造物の天井１０に黴が再び発生するのを確実に防止することができる。
【００１７】
すなわち、張替天井材１１には、その表面に防黴塗料剤Ｐ１が積層されているので、当該張替天井材１１に黴が発生するのを確実に防止することができる。
【００１８】
また、上向送風天井ファン２０によって天井１０の下面に沿って空気流を流すことができるので、張替天井を含む天井１０に黴が発生するのをより確実に防止することができる。
【図面の簡単な説明】
【００１９】
【図１】（ａ）は建築構造物の鉛直切断正面図、（ｂ）は平面図である。
【図２】本発明の実施形態に係る防黴天井設備を示すもので、（ａ）は鉛直切断正面図、（ｂ）は下面図である。
【図３】本発明の実施形態に係る天井防黴方法の工程を示すフローチャートである。
【図４】本発明の実施形態に係る天井防黴方法を示すもので、（ａ）は撤去工程、（ｂ）は張替工程、（ｃ）は第一塗布工程、（ｄ）は第二塗布工程、（ｅ）は取付工程を示すそれぞれの正面断面図である。
【発明を実施するための形態】
【００２０】
本発明に係る天井の防黴方法の実施形態を、図１乃至図４に示す。この防黴方法は、同一フロアー３１で多種類商品を取扱うところのフロアーの一部分に高湿度発生品取扱場３２を設けた建築構造物３０において、多数の天井材を張り詰めて構成した建築構造物の天井１０に、黴が再び発生するのを防止する方法であり、撤去工程Ａ、張替工程Ｂ、第一塗布工程Ｃ、第二塗布工程Ｄおよび取付工程Ｅを備える。
【００２１】
なお、この建築構造物には、スーパーマーケットや、水分を含む食品類（飲料や野菜等）を取り扱うコンビニエンスストアあるいはホームセンターなどが含まれる。また、通常、天井材は化粧石膏ボード（通称、ジプトーン）で形成されており、その肉厚は９．５ｍｍで、縦および横の長さが９１０ｍｍである。
【００２２】
撤去工程Ａでは、黒黴などの不快な印象を与える黴が多く発生している天井材（第一黴天井材１２）を撤去する（図４（ａ）参照）。なお、撤去した第一黴天井材１２は廃棄処分とする。
【００２３】
張替工程Ｂでは、撤去した第一黴天井材１２に代えて、その部分に新たな天井材（張替天井材１１）を張り付ける（図４（ｂ））。この張替天井材１１は、撤去した第一黴天井材１２と同じジプトーンを使用するのが好ましい。
【００２４】
第一塗布工程Ｃでは、張替天井材１１の表面（下面）に水性の防黴塗料剤Ｐ１を塗布する（図４（ｃ））。なお、この塗布はローラーＲを使用して行うのが好ましいが、スプレー噴霧器などで行うこともできる。また、水性の防黴塗料剤Ｐ１としては、水性反応硬化型ツヤ消塗料（商品名・水性ケンエース（日本ペイント株式会社））に防黴効果や抗菌効果を加えたものが好ましい。当該防黴塗料剤Ｐ１は、水性であるため塗布工程が容易であると共に強力な防黴性能を備えているため、建築構造物の天井１０に広い面積にわたって塗布するのに好適である。
【００２５】
なお、本発明者らは、本発明で使用する防黴塗料剤Ｐ１の防黴性能を確認するための試験を行った。その結果を、以下の表１および表２に示す。なお、この試験において使用した試験片は、前処理として促進対候試験機（ＷＯＭ）で５００時間経過させたものである。また、試験方法および供試菌は、ＪＩＳ  Ｚ  ２９１１に準拠した。
【００２６】
【表１】
0006045513.tif 000002
【００２７】
【表２】
0006045513.tif 000003
【００２８】
この試験から明らかなように、本発明に係る防黴方法で使用した防黴塗料剤Ｐ１（Ｎｏ．１）は、培養３週間においても菌糸の発育がなく、他の二つの塗料剤と比較して防黴効果にきわめて優れることが理解できる。
【００２９】
この第一塗布工程Ｃを行った後、当該防黴塗料剤Ｐ１が張替天井材１１に浸透し、乾燥するまでの養生期間を設ける。
【００３０】
第二塗布工程Ｄでは、黴の発生が少ない天井材（第二黴天井材１３）の表面にアルコール除菌剤Ｐ３（例えば、ジョンションアルコール（商品名））を塗布する（図４（ｄ））。また、こうした黴の発生が少ない部分は、黴除去剤Ｐ２（例えば、殺菌剤ＥＸ）を使用して、当該黴を除去することもできる。なお、この第二塗布工程Ｄは、第一塗布工程Ｃに先だってあるいは同時に行うこともできる。
【００３１】
そして、取付工程Ｅでは、張替天井材１１またはその近傍に上向送風天井ファン２０を取付ける（図４（ｅ））。この上向送風天井ファン２０は天井１０から近い距離に取り付けて、当該天井１０に沿って風が連続的に送られるようにするために、１日に２４時間運転して上向きに吸込んだ空気を天井下面に沿って放射方向に送り出す。なお、上向送風天井ファン２０の風の向きや強さを容易に調節するために、リモートコントロール装置を取付けている。
【００３２】
本実施形態に係る天井の防黴方法は、上記した工程を行うので、建築構造物の天井１０に黴が再び発生するのを確実に防止することができる。すなわち、撤去工程Ａによって黴が多く発生している第一黴天井材１２を撤去した後、張替工程Ｂによって新たな張替天井を貼り付けるので、第一黴天井材１２に発生している黴を取り去ることができる。
【００３３】
また、第一塗布工程Ｃによって張替天井材１１の表面に水性の防黴塗料剤Ｐ１を塗布するので、張替天井材１１に新たな黴が発生するのを防止することができる。
【００３４】
また、第二塗布工程Ｄにおいて、黴の発生が少ない天井材（第二黴天井材１３）の表面にアルコール除菌剤Ｐ３や黴除去剤Ｐ２を塗布するので、天井１０に黴が発生するのをさらに効果的に防止することができる。
【００３５】
そして、取付工程Ｅによって張替天井材１１またはその近傍に上向送風天井ファン２０を取付けるので、当該上向送風天井ファン２０から天井下面に供給される送風によって張替天井材１１を含む天井１０に新たな黴が発生するのを防止することができる。
【００３６】
本発明の係る防黴天井設備１の実施形態を、図２に示す。これは、多数の天井材を張り詰めて構成した建築構造物の天井１０に、黴が再び発生するのを防止したものであり、天井１０および上向送風天井ファン２０とで構成される。
【００３７】
天井１０は、ジプトーンで構成される多数の天井材を貼り付けて構成される。そして、その一部に、同じくジプトーンで構成される張替天井材１１を供える。この張替天井材１１は、黴が多く発生していたために除去された第一黴天井材１２に代えて設けられたものである。この張替天井材１１の表面（下面）には、水性の防黴塗料剤Ｐ１が積層されている。この防黴塗料剤Ｐ１は、前記防黴方法で使用したものと同一である。
【００３８】
上向送風天井ファン２０は天井１０の下面に沿って風を供給して、当該天井１０に黴が発生するのを抑制するものである。この上向送風天井ファン２０は、張替天井材１１に直接取付けることが好ましいが、その近傍に取付けることもできる。
【００３９】
本実施形態に係る防黴天井設備１においては、張替天井材１１の表面に防黴塗料剤Ｐ１を積層しているので、当該張替天井材１１に黴が発生するのを確実に防止することができる。
【００４０】
また、上向送風天井ファン２０によって天井１０の下面に沿って空気流を流すので、張替天井を含む天井１０に黴が発生するのをより確実に防止することができる。
【符号の説明】
【００４１】
１        防黴天井設備
１０      天井
１１      張替天井材
１２      第一黴天井材
１３      第二黴天井材
２０      上向送風天井ファン
３０      建築構造物
３１      フロアー
３２      高湿度発生品取扱場
Ａ        撤去工程
Ｂ        張替工程
Ｃ        第一塗布工程
Ｄ        第二塗布工程
Ｅ        取付工程
Ｐ１      防黴塗料剤
Ｐ２      黴除去剤
Ｐ３      アルコール除菌剤
Ｒ        ローラー
【図１】
0006045513.tif 000004
【図２】
0006045513.tif 000005
【図３】
0006045513.tif 000006
【図４】
0006045513.tif 000007